(57)【要約】【課題】  装置待機時に用地位置検出手段である光学センサへの給電を停止する。【解決手段】  用紙が装置内に滞留したときにその滞留用紙を装置より取り出す開閉可能な扉１１６を備え、かつ該扉は感光ドラム１０２を装置より着脱するための扉を兼ね、該扉の開閉状態を検出する扉開閉検出手段を設け、装置内の用紙の搬送位置を検出するための光学式センサＰＳ１０１、１０２を備え、装置待機時は光学式センサＰＳ１０１、１０２への給電を停止させ、扉が閉まってから感光ドラム１０２が回転し始めるまでの間に少なくとも１回は光学センサＰＳ１０１、１０２への給電を行う。【選択図】        図１
2005221621.tif 000002
【特許請求の範囲】
【請求項１】
用紙を搬送しながら用紙上に画像を記録する画像記録装置において、
感光ドラムを備え、
該感光ドラムを回転させる手段を備え、
用紙が装置内に滞留したときにその滞留用紙を装置より取り出す開閉可能な扉を備え、
かつ該扉は感光ドラムを装置より着脱するための扉を兼ね、
該扉の開閉状態を検出する扉開閉検出手段を設け、
装置内の用紙の搬送位置を検出するための光学式の用紙位置検出手段を備え、
装置待機時は該用紙検出手段への給電を停止する手段を備え、
該扉開閉検出手段により扉が閉まってから感光ドラムが回転し始めるまでの間に少なくとも１回は該用紙検出手段への給電を行うことを特徴とする画像記録装置。
【発明の詳細な説明】
【技術分野】
【０００１】
本発明は画像記録装置に関し、特に、プリンタ、複写機、ファックスなど、感光ドラムを備えた電子写真プロセスを用いる用紙に画像を記録する装置の待機時の消費電力削減手段の制御方法に関する。
【背景技術】
【０００２】
画像記録装置はモータなどを用い、装置内を用紙を搬送させながら画像を用紙に記録する。従って、装置内の用紙位置を検出するためフォトインタラプタなどの光学式のセンサを用い、用紙位置検出手段が備えられる。
【０００３】
また、装置内に用紙が滞留することがあるため、装置内の滞留用紙を処理するため用紙搬送路に使用者が手を入れられるよう扉を設けていることが多い。電子写真プロセスを用いた画像記録装置の場合、電子写真プロセスを担う感光ドラムや帯電装置、トナーなどを個別に、もしくはそれを一体化したカートリッジを交換するためにも扉が必要となる。
【０００４】
従来は、装置が画像記録動作を行っているあいだはもちろん、待機時においても上記用紙位置検出手段に用いられている光学式センサへの給電は継続的に、あるいは断続的に行われていた。
【０００５】
なお、光学式センサへの給電を断続的に行う方法として、用紙の位置を推定する手段を備え、記録装置の状態に応じて、あるいは、選択されている搬送路と用紙位置の推定から、必要な光学式センサのみオンにする方法が知られている（例えば、特許文献１参照。）
【特許文献１】特開平０８−２０４８９０号公報
【発明の開示】
【発明が解決しようとする課題】
【０００６】
しかしながら、昨今の待機時の消費電力の削減のため、待機時に消費電力を削減することが求められている。
【０００７】
本課題の解決方法として、装置内の用地位置検出手段である光学センサへの給電を停止する方法がある。
【０００８】
ただし、装置内に用紙が滞留している状態が待機時に無いと限らない。当然画像記録動作時は光学センサへの給電は開始されるため装置内に用紙が滞留していることは検知でき、使用者に通報することはできる。しかしながら、装置内の滞留用紙を処理するための扉を閉めたときは検知できない。
【０００９】
電子写真プロセスを用いた画像記録装置の場合、感光ドラムや帯電装置、トナーなどを個別に、もしくはそれを一体化したカートリッジが交換されたときは、次回画像記録動作のために感光ドラムの清掃や各設定パラメタの検出等初期化のため感光ドラム等を回転させる必要がある。このとき、もし装置内に用紙が滞留していると滞留用紙が搬送されてしまい、上記初期化がうまく動作しなかったり、滞留の状況によっては装置にダメージを与える恐れがある。
【００１０】
電子写真プロセスを用いた画像記録装置の場合、これら２つの扉は兼用されていることが多く、この兼用された扉が閉められたとき、感光ドラムは回転させる必要があるが、用紙が装置内に滞留し場合は上記問題を発生させる恐れがあった。
【００１１】
本発明は上記問題点に着目してなされたものであって、該扉が閉じられてから感光ドラムが回転をはじめるまでのあいだに少なくとも１回は用紙位置検出手段に用いられている光学式センサへの給電を行うことのできる画像記録装置を提供することを目的とする。
【課題を解決するための手段】
【００１２】
上記課題を解決するため、本発明は、
用紙を搬送しながら用紙上に画像を記録する画像記録装置において、感光ドラムを備え、該感光ドラムを回転させる手段を備え、用紙が装置内に滞留したときにその滞留用紙を装置より取り出す開閉可能な扉を備え、かつ該扉は感光ドラムを装置より着脱するための扉を兼ね、該扉の開閉状態を検出する扉開閉検出手段を設け、装置内の用紙の搬送位置を検出するための光学式の用紙位置検出手段を備え、装置待機時は該用紙検出手段への給電を停止する手段を備え、該扉開閉検出手段により扉が閉まってから感光ドラムが回転し始めるまでの間に少なくとも１回は該用紙検出手段への給電を行うことを特徴とする。
【発明の効果】
【００１３】
以上説明したように、本発明を実施することにより装置待機時に用地位置検出手段である光学センサへの給電を停止しても、問題なく感光ドラム交換用および滞留用紙処理用の扉を閉めたあとの動作を行うことができる。
【発明を実施するための最良の形態】
【００１４】
以下に、本発明を実施するための最良の形態を、実施例に基づいて説明する。
【実施例】
【００１５】
図１は本発明の実施例を説明するための画像記録装置の断面図、図２は回路構成概略図、図３は動作のフローチャートを表す。
【００１６】
図１及び図２において、１０２は感光ドラムで画像記録動作中はＭ１０１のモータにより→方向に回転し、待機時は停止している。１０３は帯電ローラ、１０４は現像スリーブ、１０５は転写ローラであり、１０２の感光ドラムが回転すると、それと順方向に回転する。また、画像記録動作中は図示しない回路により、それぞれ帯電電圧、現像電圧、転写電圧が印加される。１０６の光学ユニットには回転するポリゴンミラー、半導体レーザが設けられ、画像記録動作中半導体レーザは図示しない画像処理回路からの信号に基づき断続点灯し、半導体レーザから発せられたレーザ光は回転するポリゴンミラーで走査され感光ドラム１０２面上を本図鉛直方向に走査される。１０７は本レーザ光である。１０８は画像記録される用紙をおく給紙口であり、１０９の給紙ローラにより用紙は１枚々々給紙される。画像記録動作のため給紙された用紙は感光ドラム１０２と転写ローラ１０５間をとおることにより用紙に画像を転写し、１１０の定着ローラと１１１の加圧ローラをとおることにより画像を用紙に定着し、排紙口１１３に排出される。１１２は画像記録動作時に用紙が搬送される搬送路を示す。紙搬送路中にある１１４と１１５のフラグは通常はＰＳ１０１とＰＳ１０２の光学センサを遮光しており、その場所に用紙があった場合はフラグが矢印方向に倒れ、光学センサを透光させる。従って、それぞれの位置で用紙が存在する場合はＰＯＳＮＳ、ＰＩＳＮＳはＬＯＷとなり、存在しない場合はＨＩＧＨとなる。１０１は、感光ドラム１０２、帯電ローラ１０３、現像スリーブ１０４と図示しないトナーを一体化したプロセスカートリッジであり、これらを装置内に一体となって着脱することができる。１１６はプロセスカートリッジ１０１着脱用の扉であるとともに、装置内に用紙が滞留したときに滞留用紙を装置から取り出すための扉でもある。図４が扉を開けて１０１のプロセスカートリッジを装置から取り外す状態を図示している。滞留用紙を処理する際は１０１のプロセスカートリッジを取り外してから行うこととなる。ＳＷ１０１は扉１１６の開閉を検出する扉開閉検知スイッチである。
【００１７】
ＩＣ１０１はマイクロコンピュータであり、本装置の動作を制御する。たとえば、帯電電圧のオンオフや出力電圧の制御、定着器の温度調節など様様な制御を司るが、図２においては本実施例に関係する部分のみを抜粋して記している。図２においてはＩＣ１０１には入力信号として扉開閉検知信号であるＤＯＳＮＳ、フラグ１１４の位置での用紙の有無情報であるＰＩＳＮＳ、フラグ１１５の位置での用紙有無情報であるＰＯＳＮＳがある。また、出力信号として、Ｍ１０１のモータの回転オンオフを制御するＭＯＮ、光学センサＰＳ１０１、ＰＳ１０２の発光源への給電を制御するＳＮＳＯＮがある。ＭＯＮ信号はＩＣ１０２のモータドライバＩＣに入力されＭ１０１の動作有無の制御を行う。また、ＳＮＳＯＮはＱ１０１のＦＥＴをオンオフさせることにより光学センサＰＳ１０１、ＰＳ１０２の発光源への給電を制御する。
【００１８】
図３のフローチャートに従って、待機時に扉１１６を閉めたときの動作を説明する。待機時、ＭＯＮ、ＳＮＳＯＮもオフとなっており、モータＭ１０１は停止、光学センサＰＳ１０１，ＰＳ１０２の発行発光源も消灯している。待機時にドアを閉められたことをマイクロコンピュータＩＣ１０１がＤＯＳＮＳの変化により検知すると、マイクロコンピュータＩＣ１０１はＳＮＳＯＮをオンし、Ｑ１０１のＦＥＴを導通させ光学センサＰＳ１０１，ＰＳ１０２の発光源を点灯させる。その後ＰＩＳＮＳとＰＯＳＮＳの状態を確認し、両者ともＨＩＧＨであれば、ＭＯＮをオンしモータＭ１０１を回転させ感光ドラム１０２を回転させる。それとともに、所定の帯電電圧、転写クリーニング電圧を出力する。この状態を規定時間継続したあと、モータ、帯電、転写をオフし、再びＳＮＳＯＮをオフし、光学センサＰＳ１０１，ＰＳ１０２の発光源への給電を停止する。
【００１９】
一方、ＰＩＳＮＳとＰＯＳＮＳのどちらか一方でもＬＯＷであった場合は、マイクロコンピュータＩＣ１０１は使用者に用紙が滞留していることを報告する手段を動作させ、ＳＮＳＯＮをオフし、光学センサＰＳ１０１，ＰＳ１０２の発光源への給電を停止する。
【図面の簡単な説明】
【００２０】
【図１】本発明の実施例を説明する画像記録装置の断面図
【図２】本発明の実施例を説明する画像記録装置の回路概略図
【図３】本発明の実施例を説明する画像記録装置の扉を閉めたときの制御フローチャート
【図４】本発明の実施例を説明する画像記録装置のプロセスカートリッジを取り出すときの断面図
【符号の説明】
【００２１】
１０１  プロセスカートリッジ
１０２  感光ドラム
１０３  帯電ローラ
１０４  現像スリーブ
１０５  転写ローラ
１０６  光学ユニット
１０８  給紙口
１０９  給紙ローラ
１１０  定着ローラ
１１１  加圧ローラ
１１２  搬送路
１１３  排紙口
１１４，１１５  フラグ
１１６  扉
Ｍ１０１  モータ
ＩＣ１０１  マイクロコンピュータ
ＰＳ１０１，ＰＳ１０２  光学センサ
ＩＣ１０２  モータドライバＩＣ
ＳＷ１０１  扉開閉検知スイッチ
【図１】
2005221621.tif 000003
【図２】
2005221621.tif 000004
【図３】
2005221621.tif 000005
【図４】
2005221621.tif 000006